(57)【要約】【課題】本発明は、電子タグ、電子棚札システム、電子タグの制御方法、及び電子棚札システムの制御方法に関する。【解決手段】本発明による電子タグは、少なくとも二つの互いに異なる温度範囲を有する動作モードを設定する動作モード設定部と、上記動作モードに対応する駆動電源情報を決定し、上記決定された駆動電源情報に応じて駆動エネルギーを制御する制御部と、上記駆動電源情報及び商品情報のうち少なくとも一つを出力する表示部と、を含むことができる。【選択図】図１
2014203449.tif 000002
【特許請求の範囲】
【請求項１】
少なくとも二つの互いに異なる温度範囲を有する動作モードを設定する動作モード設定部と、
前記動作モードに対応する駆動電源情報を決定し、前記決定された駆動電源情報に応じて駆動エネルギーを制御する制御部と、
前記駆動電源情報及び商品情報のうち少なくとも一つを出力する表示部と、
を含む電子タグ。
【請求項２】
前記動作モード設定部は、スイッチング動作を行って前記動作モードを設定するスイッチ部を含む、請求項１に記載の電子タグ。
【請求項３】
前記動作モード設定部は、外部から前記動作モードを受信する通信部を含む、請求項１または２に記載の電子タグ。
【請求項４】
前記制御部は、前記動作モードに対応する前記駆動電源情報が格納されているレジスターを含む、請求項１から３の何れか１項に記載の電子タグ。
【請求項５】
前記表示部は、前記動作モードに対応する前記駆動電源情報が格納されているレジスターを含む、請求項１から４の何れか１項に記載の電子タグ。
【請求項６】
前記制御部の制御に応じて前記表示部に前記駆動エネルギーを供給する電源部をさらに含む、請求項１から５の何れか１項に記載の電子タグ。
【請求項７】
外部から少なくとも二つの互いに異なる温度範囲を有する動作モードを受信するサーバーと、
前記サーバーから前記動作モードを受信し、前記動作モードに対応する駆動電源情報に応じて駆動エネルギーを制御して前記駆動電源情報及び商品情報のうち少なくとも一つを表示する複数の電子タグと、
を含む電子棚札システム。
【請求項８】
前記サーバーから前記動作モードを受信して前記複数の電子タグに提供する複数のゲートウェイをさらに含む、請求項７に記載の電子棚札システム。
【請求項９】
前記動作モードを前記サーバーに提供するユーザ端末機をさらに含む、請求項７または８に記載の電子棚札システム。
【請求項１０】
前記複数の電子タグは前記動作モードを受信する通信部を含む、請求項７から９の何れか１項に記載の電子棚札システム。
【請求項１１】
前記複数の電子タグは、スイッチング動作を行って前記動作モードを設定するスイッチ部を含む、請求項７から１０の何れか１項に記載の電子棚札システム。
【請求項１２】
前記複数の電子タグは、前記駆動電源情報及び前記商品情報のうち少なくとも一つを表示する表示部を含む、請求項７から１１の何れか１項に記載の電子棚札システム。
【請求項１３】
前記複数の電子タグは、前記駆動電源情報に応じて前記駆動エネルギーを制御する制御部を含む、請求項７から１２の何れか１項に記載の電子棚札システム。
【請求項１４】
前記複数の電子タグは、前記制御部の制御に応じて前記駆動エネルギーを供給する電源部をさらに含む、請求項１３に記載の電子棚札システム。
【請求項１５】
前記複数の電子タグは、前記駆動電源情報が格納されているレジスターを含む、請求項７から１４の何れか１項に記載の電子棚札システム。
【請求項１６】
少なくとも二つの互いに異なる温度範囲を有する動作モードを設定する段階と、
前記動作モードに対応する駆動電源情報を決定する段階と、
前記駆動電源情報に応じて駆動エネルギーを制御する段階と、
前記駆動電源情報及び商品情報のうち少なくとも一つを表示する段階と、
を含む電子タグの制御方法。
【請求項１７】
前記動作モードを設定する段階は、スイッチング動作を行って前記動作モードを設定する段階を含む、請求項１６に記載の電子タグの制御方法。
【請求項１８】
前記動作モードを設定する段階は、外部から前記動作モードを受信する段階を含む、請求項１６または１７に記載の電子タグの制御方法。
【請求項１９】
サーバーが外部から少なくとも二つの互いに異なる温度範囲を有する動作モードを受信して、複数のゲートウェイに提供する段階と、
前記複数のゲートウェイが前記動作モードを複数の電子タグに提供する段階と、
前記複数の電子タグが前記動作モードに対応する駆動電源情報に応じて駆動エネルギーを制御する段階と、
前記複数の電子タグが前記駆動電源情報及び商品情報のうち少なくとも一つを表示する段階と、
を含む電子棚札システムの制御方法。
【請求項２０】
ユーザ端末機が前記サーバーに動作モードを提供する段階をさらに含む、請求項１９に記載の電子棚札システムの制御方法。
【請求項２１】
前記サーバーが前記動作モードを前記複数の電子タグに直接提供する段階を含む、請求項１９または２０に記載の電子棚札システムの制御方法。
【請求項２２】
前記複数の電子タグがスイッチング動作を行って前記動作モードを設定する段階を含む、請求項１９から２１の何れか１項に記載の電子棚札システムの制御方法。
【発明の詳細な説明】
【技術分野】
【０００１】
本発明は、電子タグ、電子棚札システム、電子タグの制御方法、及び電子棚札システムの制御方法に関する。
【背景技術】
【０００２】
最近、電子棚札（Ｅｌｅｃｔｒｏｎｉｃ  Ｓｈｅｌｆ  Ｌａｂｅｌ：ＥＳＬ）システムに関する研究及び開発が積極的に行われている。
【０００３】
一方、上記電子棚札システムの構成のうち電気泳動ディスプレイ（Ｅｌｅｃｔｒｏｐｈｏｒｅｔｉｃ  Ｄｉｓｐｌａｙ：ＥＰＤ）を用いる電子タグ（Ｅｌｅｃｔｒｏｎｉｃ  Ｔａｇ）は、反射率及び明暗比が高く、消費電力の低減に非常に有用であるという特性を有する。
【０００４】
これに反して、電気泳動ディスプレイはその構成材料の特性上、使用温度の範囲が他のディスプレイ装置に比べ相対的に狭い。そのため、温度変化による画質特性の劣化を改善すべきである。
【０００５】
上述の問題点を改善するために、電気泳動ディスプレイは使用温度環境を認識できる温度センサーを用いて温度を検出し、上記検出された温度に応じて最適化された画質を維持している。
【０００６】
即ち、電気泳動ディスプレイを用いる電子タグは必ず温度センサーを備えなければならず、これを制御部または表示部に伝達できる装置及び通信方法が決定されなければならない。また、フィードバックされた温度値を参照して最適の動作モードを決定するための論理演算行為も必要である。さらに、上述の動作を行うための駆動エネルギーが必要である。
【０００７】
但し、電子棚札システムは、小売店に適用時に下記の環境で用いられる。
【０００８】
１）使用環境は買い手のショッピングがなされる空間として一定範囲の温度が維持される。
【０００９】
２）冷蔵食品などのように特別な製品も一定範囲の低温が維持される。
【００１０】
したがって、電子棚札システムの構成のうち電気泳動ディスプレイを用いる電子タグは、その使用環境が上述したように決まっている場合が殆どである。即ち、温度範囲が予め予想できるにもかかわらず、温度センサーを用いて継続的に温度値を検出しているという問題点がある。
【００１１】
下記の先行技術文献である特許文献１は電子棚札及びその制御方法に関するものである。上記特許文献１は、周囲温度に応じてイメージ表示の水平走査線の間のディレイ値を変更することによりバッテリの消耗を減らす方法を提供する。即ち、温度センサーを用いることなく、スイッチを用いて動作モードを設定したり通信を介して動作モードを受信することについては記載していない。
【先行技術文献】
【特許文献】
【００１２】
【特許文献１】韓国公開特許公報第１０‐２０１２‐００７７９４８号
【発明の概要】
【発明が解決しようとする課題】
【００１３】
本発明は上述の課題を解決するために、既存の温度センサーを除去して、スイッチング動作または外部との通信によって動作モードを受信し、上記動作モードに応じて駆動エネルギーを制御する電子タグを提案する。また、上述の課題を解決するために上記提案した電子タグを用いる電子棚札システム、電子タグの制御方法、及び電子棚札システムの制御方法を提案する。
【課題を解決するための手段】
【００１４】
本発明の第１技術的な側面による電子タグは、少なくとも二つの互いに異なる温度範囲を有する動作モードを設定する動作モード設定部と、上記動作モードに対応する駆動電源情報を決定し、上記決定された駆動電源情報に応じて駆動エネルギーを制御する制御部と、上記駆動電源情報及び商品情報のうち少なくとも一つを出力する表示部と、を含むことができる。
【００１５】
また、上記動作モード設定部は、スイッチング動作を行って上記動作モードを設定するスイッチ部を含むことができる。
【００１６】
また、上記動作モード設定部は、外部から上記動作モードを受信する通信部を含むことができる。
【００１７】
また、上記制御部は、上記動作モードに対応する上記駆動電源情報が格納されているレジスターを含むことができる。
【００１８】
また、上記表示部は、上記動作モードに対応する上記駆動電源情報が格納されているレジスターを含むことができる。
【００１９】
また、上記制御部の制御に応じて上記表示部に上記駆動エネルギーを供給する電源部をさらに含むことができる。
【００２０】
本発明の第２技術的な側面による電子棚札システムは、外部から少なくとも二つの互いに異なる温度範囲を有する動作モードを受信するサーバーと、上記サーバーから上記動作モードを受信し、上記動作モードに対応する駆動電源情報に応じて駆動エネルギーを制御して上記駆動電源情報及び商品情報のうち少なくとも一つを表示する複数の電子タグと、を含むことができる。
【００２１】
また、上記サーバーから上記動作モードを受信して上記複数の電子タグに提供する複数のゲートウェイをさらに含むことができる。
【００２２】
また、上記動作モードを上記サーバーに提供するユーザ端末機をさらに含むことができる。
【００２３】
また、上記複数の電子タグは上記動作モードを受信する通信部を含むことができる。
【００２４】
また、上記複数の電子タグは、スイッチング動作を行って上記動作モードを設定するスイッチ部を含むことができる。
【００２５】
また、上記複数の電子タグは、上記駆動電源情報及び上記商品情報のうち少なくとも一つを表示する表示部を含むことができる。
【００２６】
また、上記複数の電子タグは、上記駆動電源情報に応じて上記駆動エネルギーを制御する制御部を含むことができる。
【００２７】
また、上記複数の電子タグは、上記制御部の制御に応じて上記駆動エネルギーを供給する電源部をさらに含むことができる。
【００２８】
また、上記複数の電子タグは、上記駆動電源情報が格納されているレジスターを含むことができる。
【００２９】
本発明の第３技術的な側面による電子タグの制御方法は、少なくとも二つの互いに異なる温度範囲を有する動作モードを設定する段階と、上記動作モードに対応する駆動電源情報を決定する段階と、上記駆動電源情報に応じて駆動エネルギーを制御する段階と、上記駆動電源情報及び商品情報のうち少なくとも一つを表示する段階と、を含むことができる。
【００３０】
また、上記動作モードを設定する段階は、スイッチング動作を行って上記動作モードを設定する段階を含むことができる。
【００３１】
また、上記動作モードを設定する段階は、外部から上記動作モードを受信する段階を含むことができる。
【００３２】
本発明の第４技術的な側面による電子棚札システムの制御方法は、サーバーが外部から動作モードを受信して、複数のゲートウェイに提供する段階と、上記複数のゲートウェイが上記動作モードを複数の電子タグに提供する段階と、上記複数の電子タグが上記動作モードに対応する駆動電源情報に応じて駆動エネルギーを制御する段階と、上記複数の電子タグが上記駆動電源情報及び商品情報のうち少なくとも一つを表示する段階と、を含むことができる。
【００３３】
また、ユーザ端末機が上記サーバーに動作モードを提供する段階をさらに含むことができる。
【００３４】
また、上記サーバーが上記動作モードを上記複数の電子タグに直接提供する段階を含むことができる。
【００３５】
また、上記複数の電子タグがスイッチング動作を行って上記動作モードを設定する段階を含むことができる。
【発明の効果】
【００３６】
本発明によると、温度センサーにかかる電流の消費を低減することができ、また、温度センサーにより検出された温度値を制御部に伝達する過程でかかる通信時間及び駆動エネルギーの消費を低減することができる。さらに、温度センサーを用いないため費用の面においても有利である。
【図面の簡単な説明】
【００３７】
【図１】本発明の一実施例による電子タグのブロック図である。
【図２】本発明の一実施例による動作モード設定部のブロック図である。
【図３】動作モード設定部にスイッチ部及び通信部が含まれた電子タグのブロック図である。
【図４】図１の制御部にレジスターが含まれた電子タグのブロック図である。
【図５】図１の表示部にレジスターが含まれた電子タグのブロック図である。
【図６ａ】温度に応じた駆動エネルギーの変化をグラフで示したものである。
【図６ｂ】図６ａのグラフにおける温度範囲を二元化させた形態を示したものである。
【図６ｃ】図６ａのグラフにおける温度範囲を三元化させた形態を示したものである。
【図７】本発明の一実施例による商品情報及び動作モードを表示した電子タグを示したものである。
【図８】本発明の一実施例による電子棚札システムのブロック図である。
【図９】本発明の他の実施例による電子棚札システムのブロック図である。
【図１０】本発明の一実施例による電子タグの制御方法のフローチャートである。
【図１１】本発明の他の実施例による電子タグの制御方法のフローチャートである。
【図１２】本発明の一実施例による電子棚札システムの制御方法のフローチャートである。
【図１３】本発明の他の実施例による電子棚札システムの制御方法のフローチャートである。
【発明を実施するための形態】
【００３８】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００３９】
図１は本発明の一実施例による電子タグ１００のブロック図である。
【００４０】
図２は本発明の一実施例による動作モード設定部１１０のブロック図である。
【００４１】
図１及び図２を参照すると、電子タグ１００は、動作モード設定部１１０と、制御部１２０と、表示部１３０と、電源部１４０と、を含むことができる。
【００４２】
上記動作モード設定部１１０は、動作モードを設定して制御部１２０に提供することができる。この際、上記動作モードは少なくとも二つの互いに異なる温度範囲を有することができる。
【００４３】
また、上記動作モード設定部１１０は、動作モードを設定するための一実施例としてスイッチ部１１１及び通信部１１２を含むことができる。
【００４４】
上記動作モード設定部１１０でスイッチング動作によって動作モードを設定することについて先に説明する。
【００４５】
上記動作モード設定部１１０はスイッチ部１１１を含むことができ、上記スイッチ部１１１でのスイッチング動作によって上記動作モードを設定することができる。この際、上記スイッチ部１１１は少なくとも一つのスイッチを含むことができ、上記スイッチは一実施例として単に二つの選択型のスイッチであってもよく、三つの選択型のスイッチであってもよい。
【００４６】
即ち、上記スイッチ部１１１に含まれるスイッチの種類は、スイッチング動作を行う機能を含むものであればその用途や形状が制限されない。これは、電子タグ１００が用いられる使用環境に応じて電子タグ１００の動作モードが設定され、これにより、必要なスイッチの種類が変わるためである。
【００４７】
図３は動作モード設定部１１０にスイッチ部１１１及び通信部１１２が含まれた電子タグのブロック図である。
【００４８】
図３を参照すると、動作モード設定部１１０は上記動作モードを外部から受信することができる。即ち、上記動作モード設定部１１０は、外部との通信を介して上記動作モードを受信する通信部１１２をさらに含むことができる。
【００４９】
したがって、通信部１１２は、外部から上記動作モードを受信し、上記動作モードを制御部１２０に供給することができる。上記制御部１２０は、上記動作モードに対応する駆動電源情報を決定して、上記駆動電源情報に応じて駆動エネルギーを調節することができるということは上述したとおりである。
【００５０】
上記制御部１２０は上記動作モードに対応する駆動電源情報を決定することができる。また、上記決定された駆動電源情報に応じて駆動エネルギーを制御することができる。より詳細には、上記制御部１２０は、上記スイッチ部１１１のスイッチング動作によって設定された動作モードを受信するか、または通信部１１２が外部との通信を介して受信した上記動作モードを受信することができる。
【００５１】
この際、上記制御部１２０は上記動作モードに対応する駆動電源情報に応じて駆動エネルギーを制御することができる。
【００５２】
図４は図１の制御部１２０にレジスター１２５が含まれた電子タグ１００のブロック図である。図４を参照すると、上記駆動電源情報はレジスター１２５に格納されることができ、上記レジスター１２５は制御部１２０内に含まれることができる。
【００５３】
ここで、上記駆動電源情報は、上記動作モードに応じて制御されるべき駆動エネルギーに関する情報である。
【００５４】
即ち、動作モード設定部１１０のうちスイッチ部１１１のスイッチング動作によって動作モードが設定されるか、または通信部１１２が外部から動作モードを受信した場合であれば、制御部１２０はレジスター１２５に既格納された上記動作モードに対応する駆動電源情報に応じて表示部１３０に供給される駆動エネルギーを制御することができる。
【００５５】
図５は図１の表示部１３０にレジスター１３５が含まれた電子タグのブロック図である。図５を参照すると、駆動電源情報が格納されたレジスター１３５は表示部１３０に含まれることができる。したがって、制御部１２０は、表示部１３０から動作モードに対応する駆動電源情報を受信し、これにより、駆動エネルギーを制御することができる。
【００５６】
表示部１３０は上記駆動電源情報及び商品情報のうち少なくとも一つを出力することができる。この際、制御部１２０は駆動エネルギーを制御して、上記表示部１３０の画質を同一に維持させることができる。
【００５７】
また、表示部１３０は、ユーザの便宜のために、上記動作モード設定部１１０から設定された動作モードを画面に出力することができる。これについては図７を参照して後述する。
【００５８】
上記電源部１４０は制御部１２０の制御に応じて表示部１３０に駆動エネルギーを供給することができる。制御部１２０の上記駆動エネルギーの制御は、動作モードに対応する駆動電源情報に応じて行われることができる。
【００５９】
上記動作モード設定について例を挙げて説明する。
【００６０】
図６ａは温度に応じた駆動エネルギーの変化をグラフで示したものである。図６ａを参照すると、電子タグ１００の画面を構成する電気泳動ディスプレイの材質が同一である場合は、電子タグ１００の画面に細かい偏差はありえるが、概ね図６ａのグラフのような傾向を示す。
【００６１】
これは、表示部１３０が、温度差にもかかわらず同一の画質を表示するためには上記温度に対応する駆動エネルギーを供給しなければならないということを意味する。
【００６２】
但し、電子棚札システムは上述したように、小売店に適用時に下記のような環境条件が与えられることができる。
【００６３】
１）使用環境は買い手のショッピングがなされる空間として一定範囲の温度が維持される。２）冷蔵食品などのように特別な製品も一定範囲の低温が維持される。
【００６４】
即ち、電子棚札システムを設置する時に既に使用環境が分かっている可能性もあるため、敢えて温度センサーを用いて継続的な温度変化を検知する必要がなく、上記使用環境に対応する温度範囲に応じて動作モードを予め設定するか運営中に設定することができる。
【００６５】
図６ｂは図６ａのグラフにおける温度範囲を二元化させた形態を示したものである。図６ｂは一実施例として電子タグ１００の動作モードを冷蔵モード６１０と常温モード６２０に分ける場合のそれぞれの温度範囲を示したグラフである。
【００６６】
より詳細には、上記動作モード設定部１１０は、動作モードを冷蔵モード６１０の場合または常温モード６２０の場合に設定することができる。即ち、スイッチ部１１１はスイッチング動作を行って上記動作モードを冷蔵モード６１０または常温モード６２０に設定することができる。または、通信部１１２は外部から動作モードを受信することができる。ここでは、動作モードが冷蔵モード６１０である場合を仮定する。
【００６７】
動作モードが冷蔵モード６１０に設定された後、制御部１２０は上記冷蔵モード６１０に対応する駆動電源情報を受信することができる。図４を参照すると、制御部１２０がレジスター１２５を含むため、制御部１２０内のレジスター１２５から冷蔵モード６１０に対応する駆動電源情報を受信することができる。図５の場合は、他の実施例として表示部１３０がレジスター１３５を含むため、表示部１３０内のレジスター１３５から冷蔵モード６１０に対応する駆動電源情報を受信することができる。
【００６８】
駆動電源情報を受信した制御部１２０は、上記冷蔵モード６１０に対応する駆動電源情報に応じて表示部１３０に供給される駆動エネルギーを制御することができる。
【００６９】
例えば、動作モードが常温モード６２０と決定された場合、図６ｂを参照すると、電子タグ１００の表示部１３０は常温モード６２０に応じた駆動エネルギーが必要とされる。この場合、制御部１２０は、制御部１２０内のレジスター１２５または表示部１３０内のレジスターのうち一つに格納されている常温モード６２０に対応する駆動電源情報を受信することができる。上記駆動電源情報に応じて表示部１３０に供給される駆動エネルギーを制御することができる。
【００７０】
図６ｃは図６ａのグラフにおける温度範囲を三元化させた形態を示したものである。
【００７１】
即ち、図６ｃは、図６ｂとは異なり、使用環境を三つに分けた場合である。このとき、動作モード設定部１１０のスイッチの種類は三つの選択型に決定されることができる。
【００７２】
例えば、常温モード６２０は第１常温モード６２１及び第２常温モード６２２に区分されることができ、制御部１２０は各条件に対応する駆動電源情報を決定して、表示部１３０に供給される駆動エネルギーを制御することができる。
【００７３】
図７は本発明の一実施例による商品情報７１０及び動作モード７２０を表示した電子タグの表示部１３０を示したものである。
【００７４】
即ち、表示部１３０は、顧客に商品に関する情報を商品情報７１０として出力することができ、動作モード設定部１１０により設定された動作モード７２０を表示することもできる。これにより、ユーザは表示部１３０に表示された動作モード７２０を見て電子タグ１００をより効率的に管理することができる。
【００７５】
この際、商品情報７１０または動作モード７２０の表示は、数字、記号及び特殊な記号などの様々な表現手段で管理者または顧客に視覚的に伝達することができ、図７に記載の実施例に限定されるものではない。
【００７６】
これにより、電子タグ１００は、温度センサーを用いなくても電子タグ１００の動作モードを簡単なスイッチング動作によって決定することができ、また、外部から上記動作モードを受信することもできる。したがって、電子タグ１００の表示部１３０に表示される画質特性を同一に維持させることができる。
【００７７】
図８は本発明の一実施例による電子棚札システムのブロック図である。
【００７８】
図９は本発明の他の実施例による電子棚札システムのブロック図である。
【００７９】
図８を参照すると、電子棚札システムは、サーバー８００と、複数の電子タグ９００と、を含むことができる。
【００８０】
また、図９を参照すると、電子棚札システムは、サーバー８００と、複数のゲートウェイ８５０と、複数の電子タグ９００と、を含むことができる。
【００８１】
上記サーバー８００は外部から少なくとも二つの互いに異なる温度範囲を有する動作モードを受信することができる。この際、上記動作モードを受信する方法としては、無線及び有線のうち少なくとも一つの通信を用いることができる。
【００８２】
また、電子棚札システムは、外部から少なくとも二つの互いに異なる温度範囲を有する動作モードを提供するユーザ端末機をさらに含むことができる。
【００８３】
即ち、ユーザ端末機は動作モードを設定してサーバー８００に提供することができ、上記サーバー８００は受信した動作モードを複数の電子タグ９００に提供することができる。
【００８４】
上記複数の電子タグ９００は上記動作モードを受信し、これに対応する駆動電源情報に応じた駆動エネルギーを制御することができる。または、上記複数の電子タグ９００はスイッチング動作を行って上記動作モードを設定することもできる。上記動作モード設定の後、複数の電子タグ９００は駆動エネルギーを制御することができ、また上記駆動電源情報及び商品情報のうち少なくとも一つを画面に表示することができる。
【００８５】
また、上記サーバー８００は複数のゲートウェイ８５０とのネットワークを形成することができ、上記複数の電子タグ９００は上記複数のゲートウェイ８５０に接続されることができる。
【００８６】
図９を参照すると、複数の電子タグ９１０、９２０はゲートウェイ８５１に接続されることができ、また、上記ゲートウェイ８５１はサーバー８００に接続されてネットワークを形成することができる。
【００８７】
この際、サーバー８００は上記動作モードを複数の電子タグ９００に直接提供することができ、複数のゲートウェイ８５０に提供することができる。例えば、サーバー８００が複数のゲートウェイ８５０に上記動作モードを提供した場合は、上記複数のゲートウェイ８５０は受信した動作モードを上記複数の電子タグ９００に提供することができる。
【００８８】
この際、上記動作モードは複数の電子タグ９００の通信部１１２に提供されることができ、複数の電子タグ９００は上記動作モードに対応する駆動電源情報に応じて駆動エネルギーを制御することができる。
【００８９】
一方、複数の電子タグ９００は、スイッチ部１１１のスイッチング動作によって動作モードを設定することができる。または、通信部１１２は上記動作モードを上記サーバー８００及び複数のゲートウェイ８５０のうち一つから受信することができる。
【００９０】
動作モードが設定された後、複数の電子タグ９００は、動作モードに対応する駆動電源情報が格納されているレジスター１２５、１３５を含むことができ、上記駆動電源情報に応じて駆動エネルギーを制御する制御部１２０を含むこともできる。
【００９１】
また、複数の電子タグ９００は、上記制御部１２０の制御に応じて駆動エネルギーを供給する電源部１４０をさらに含むことができ、上記駆動電源情報及び商品情報のうち少なくとも一つを表示する表示部１３０を含むことができる。この際、複数の電子タグ９００の各構成部分については上述した説明と同様であるため省略する。
【００９２】
図１０は本発明の一実施例による電子タグの制御方法のフローチャートである。
【００９３】
図１０を参照すると、上記電子タグの制御方法は、少なくとも二つの互いに異なる温度範囲を有する動作モードを設定する段階（Ｓ１１０）と、上記動作モードに対応する駆動電源情報を決定する段階（Ｓ１２０）と、上記駆動電源情報に応じて駆動エネルギーを制御する段階（Ｓ１３０）と、上記駆動電源情報及び商品情報のうち少なくとも一つを表示する段階（Ｓ１４０）と、を含むことができる。
【００９４】
図１１は本発明の他の実施例による電子タグの制御方法のフローチャートである。
【００９５】
図１１を参照すると、上記動作モードを設定する段階（Ｓ１１０）はスイッチング動作を行って上記動作モードを設定する段階（Ｓ１１１）、または外部から動作モードを受信する段階（Ｓ１１２）であることができる。動作モードを受信した後は、図１０における説明と同様であるため省略する。
【００９６】
図１２は本発明の一実施例による電子棚札システムの制御方法のフローチャートである。
【００９７】
図１３は本発明の他の実施例による電子棚札システムの制御方法のフローチャートである。
【００９８】
図１２を参照すると、電子棚札システムの制御方法は、サーバーが外部から少なくとも二つの互いに異なる温度範囲を有する動作モードを受信して複数のゲートウェイに提供する段階（Ｓ２１０）と、上記複数のゲートウェイが上記動作モードを複数の電子タグに提供する段階（Ｓ２２０）と、上記複数の電子タグが上記動作モードに対応する駆動電源情報に応じて駆動エネルギーを制御する段階（Ｓ２３０）と、上記複数の電子タグが上記駆動電源情報及び商品情報のうち少なくとも一つを表示する段階（Ｓ２４０）と、を含むことができる。
【００９９】
図１３を参照すると、電子棚札システムの制御方法は、ユーザ端末機がサーバーに上記動作モードを提供する段階（Ｓ２０５）を含むことができる。また、上記サーバーが上記少なくとも二つの互いに異なる温度範囲を有する動作モードを上記複数の電子タグに提供する段階（Ｓ２１０）をさらに含むことができる。
【０１００】
即ち、図１２及び図１３を参照すると、サーバーは、ユーザ端末機から受信した動作モードを複数のゲートウェイを介して複数の電子タグに提供することもでき（Ｓ２１０）、またはサーバーから複数の電子タグに直接提供することもできる（Ｓ２１５）。また、上記動作モードを外部から受信しなくてもスイッチング動作を行って上記動作モードを設定する段階（Ｓ２２５）を含むことができる。
【０１０１】
これにより、温度センサーを用いないため、温度センサーにかかる電流の消費を低減することができる。さらに、本発明は、温度センサーを用いないため費用の面でも有利であり、温度センサーから獲得された情報を制御部に連結するための連結線及び制御部の入力ポートを低減することができる。
【０１０２】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【０１０３】
１１０  動作モード設定部
１１１  スイッチ部
１１２  通信部
１２０  制御部
１２５、１３５  レジスター
１３０  表示部
１４０  電源部
６１０  冷蔵モード
６２０  常温モード
７１０  商品情報
７２０  動作モード
８００  サーバー
８５０  複数のゲートウェイ
９００  複数の電子タグ
【図１】
2014203449.tif 000003
【図２】
2014203449.tif 000004
【図３】
2014203449.tif 000005
【図４】
2014203449.tif 000006
【図５】
2014203449.tif 000007
【図６ａ】
2014203449.tif 000008
【図６ｂ】
2014203449.tif 000009
【図６ｃ】
2014203449.tif 000010
【図７】
2014203449.tif 000011
【図８】
2014203449.tif 000012
【図９】
2014203449.tif 000013
【図１０】
2014203449.tif 000014
【図１１】
2014203449.tif 000015
【図１２】
2014203449.tif 000016
【図１３】
2014203449.tif 000017